(57)【要約】【課題】複数種類のICカードを挿入する機器において、カード挿入口部へ、本来挿入すべきICカードの外形寸法より小さい外形寸法のＩＣカードを誤って入れてしまうことを低減することを目的とする。【解決手段】第１のカード挿入口部３ｂの手前に、カード挿入方向と同一軸方向に延在し、カード挿入口部の長手方向の幅に対応するリブ５ａを設け、同様に第２のカード挿入口部４ｂの手前にも、カード挿入方向と同一軸方向に延在し、カード挿入口部の長手方向の幅に対応するリブリブ５ｍを設けた。【選択図】      図３
2018060412.tif 000002
【特許請求の範囲】
【請求項１】
複数種類のＩＣカードが挿入される機器に設けられるカード挿入構造であって、
前記複数種類のＩＣカードのうち第１のＩＣカードを挿入するための開口形状を持って設けられた第１のカード挿入口部と、
前記第１のＩＣカードより、幅、厚み共に寸法が大きな第２のＩＣカードを挿入するための開口形状を持って設けられ、挿入口部の長手寸法及び短手寸法が第１のカード挿入口部の長手寸法及び短手寸法より大きい第２のカード挿入口部と、
前記第１のカード挿入口部の手前に、前記第１のカード挿入口部の開口形状を維持するように設けられ、前記第１のＩＣカードのカード挿入方向と同一軸方向に延在するとともに、前記第１のカード挿入口部の長手方向に垂直な第１の面と、前記第１のカード挿入口部の長手方向に前記第１の面と反対側にある、前記第１のカード挿入口部の長手方向に垂直な第２の面と、の間隔が前記第１のカード挿入口部の長手方向の幅に対応する第１のリブと、
前記第２のカード挿入口部の手前に、前記第２のカード挿入口部の開口形状を維持するように設けられ、前記第２のＩＣカードのカード挿入方向と同一軸方向に延在するとともに、前記第２のカード挿入口部の長手方向に垂直な第３の面と、前記第２のカード挿入口部の長手方向に前記第３の面と反対側にある、前記第２のカード挿入口部の長手方向に垂直な第４の面と、の間隔が前記第２のカード挿入口部の長手方向の幅に対応する第２のリブと
を備えたカード挿入構造。
【請求項２】
前記第１のカード挿入口部及び前記第２のカード挿入口部が、前記機器の同一方向を向いている面に、前記第１のカード挿入口部の長手方向と前記第２のカード挿入口部の長手方向とが一致するように設けられていること
を特徴とする請求項１に記載のカード挿入構造。
【請求項３】
前記第１のリブと前記第２のリブの少なくともいずれかが、前記カード挿入方向に延びる２本のレール形状をしていること
を特徴とする請求項１に記載のカード挿入構造。
【請求項４】
前記第１のリブは、前記第１のカード挿入口部の短手辺に沿って前記カード挿入方向に延び、
前記第２のリブは、前記第２のカード挿入口部の短手辺に沿って前記カード挿入方向に延びている
ことを特徴とする請求項１に記載のカード挿入構造。
【請求項５】
前記第１のリブは、前記第１のカード挿入口部の長手辺に沿って前記カード挿入方向に延び、
前記第２のリブは、前記第２のカード挿入口部の長手辺に沿って前記カード挿入方向に延びている
ことを特徴とする請求項１に記載のカード挿入構造。
【請求項６】
前記第１のリブは、請求項３に記載した第１のリブの構造と請求項４に記載した第１のリブの構造を併せ持ち、
前記第２のリブは、請求項３に記載した第２のリブの構造と請求項４に記載した第２のリブの構造を併せ持っていること
を特徴とする請求項１に記載のカード挿入構造。
【請求項７】
前記第１のカード挿入口部と前記第２のカード挿入口部とが前記機器の側面に設けられた請求項１に記載のカード挿入構造
を備えたことを特徴とする薄型テレビ。
【請求項８】
請求項１に記載のカード挿入構造であって、
前記第１のＩＣカードが限定受信カードであり、前記第２のＩＣカードがメモリーカードであるカード挿入構造
を備えた薄型テレビ。
【請求項９】
請求項１に記載のカード挿入構造であって、
前記第１のＩＣカードが限定受信カードであり、前記第２のＩＣカードがメモリーカードであるカード挿入構造
を備えたレコーダー。
【請求項１０】
請求項１に記載のカード挿入構造であって、
前記第１のＩＣカードが限定受信カードであり、前記第２のＩＣカードがメモリーカードであるカード挿入構造
を備えたカーナビゲーションシステム。
【請求項１１】
請求項１に記載のカード挿入構造
を備えたことを特徴とするマルチプリンター。
【請求項１２】
前記第１のＩＣカードが金属端子部を持つ限定受信カードであり、前記第１のＩＣカードを前記第１のカード挿入口部へ挿入する際、前記第１のリブが前記第１のＩＣカードの金属端子部と対面するように設けられた請求項４に記載のカード挿入構造
を備えたことを特徴とする薄型テレビ。
【発明の詳細な説明】
【技術分野】
【０００１】
本発明は、外形寸法が互いに異なる複数枚のＩＣカードが挿入される機器のカード挿入構造に関するものである。
【背景技術】
【０００２】
外形寸法に大小がある複数枚のＩＣカードが挿入される機器として、薄型テレビ、レコーダー、カーナビゲーションシステム等のデジタル放送受信機、店頭に設置されるマルチプリンター等が挙げられる。
【０００３】
これらの機器において、ＩＣカードを挿入するためのカード挿入構造は、機器にＩＣカード外形寸法に応じた大きさのカード挿入口を複数設けたものになっている（例えば特許文献１参照）。
【先行技術文献】
【特許文献】
【０００４】
【特許文献１】特開 ２００５−２８００５２号公報
【発明の概要】
【発明が解決しようとする課題】
【０００５】
このような挿入構造になっていると、ｍｉｎｉＢ−ＣＡＳ（登録商標）カードとＳＤ（登録商標）カードとが挿入可能な薄型テレビを例に挙げると、ｍｉｎｉＢ−ＣＡＳカードの外形幅は１５ｍｍ、厚さは０．８ｍｍで、ＳＤカードの外形幅２４ｍｍ、厚さ１．８ｍｍに比べ、幅、厚みともに小さいため、ｍｉｎｉＢ−ＣＡＳカードをＳＤカードのカード挿入口部に誤って入れてしまうといった問題があった。
【０００６】
本発明は、上述のような問題を解決するためになされたもので、カード挿入口部へ外形寸法がより小さいＩＣカードを誤って入れてしまうことを低減するカード挿入構造を提供することを目的とする。
【課題を解決するための手段】
【０００７】
本発明にかかるカード挿入構造は、カード挿入口部の幅に対応させたリブをカード挿入口部の前に設けたものである。
【発明の効果】
【０００８】
本発明にかかるカード挿入構造によれば、挿入しようとしているＩＣカードを、そのカードより寸法の大きなカード挿入口部に誤って入れることを低減できる効果がある。
【図面の簡単な説明】
【０００９】
【図１】本発明にかかる実施の形態１または６のカード挿入構造を適用可能な機器の全体構成の一例を示す外観図である。
【図２】従来のカード挿入部の一例を示す拡大図である。
【図３】本発明にかかる実施の形態１のカード挿入構造の概念図である。
【図４】本発明にかかる実施の形態１のカード挿入構造においてＩＣカードを挿入しようとしている場面の概念図である。
【図５】本発明のカード挿入構造を適用可能な機器の全体構成の一例を示す外観図である。
【図６】本発明のカード挿入構造を適用可能な機器の全体構成の一例を示す外観図である。
【図７】本発明のカード挿入構造を適用可能な機器の全体構成の一例を示す外観図である。
【図８】本発明にかかる実施の形態２のカード挿入構造の概念図である。
【図９】本発明にかかる実施の形態３のカード挿入構造の概念図である。
【図１０】本発明にかかる実施の形態４のカード挿入構造の概念図である。
【図１１】本発明にかかる実施の形態４のカード挿入構造でのカード挿入動作の概念図である。
【図１２】本発明にかかる実施の形態４のカード挿入構造での効果を示す概念図である。
【図１３】本発明にかかる実施の形態５のカード挿入構造の概念図である。
【図１４】本発明にかかる実施の形態６のカード挿入構造の概念図である。
【図１５】本発明にかかる実施の形態７のカード挿入構造の概念図である。
【発明を実施するための形態】
【００１０】
実施の形態１．
まず、本発明にかかる実施の形態１のカード挿入構造の構成を説明する。
なお、図面において、同一符号は同一または、相当部分を示すものとする。
【００１１】
図１は、本発明にかかる実施の形態１のカード挿入構造を適用可能な機器の一例を示す一般的な薄型テレビの外観図である。
【００１２】
図１において、薄型テレビ１００の側面にカード挿入部２があり、カード挿入部２には、第１のＩＣカードに相当する限定受信カードであるｍｉｎｉＢ−ＣＡＳカードのカード挿入口部４と、第２のＩＣカードに相当するメモリーカードであるＳＤカードのカード挿入口部３とが並んで設置されている。
【００１３】
薄型テレビでは表示パネルの裏側にパネルと平行して回路基板を設置する構造が多いため、薄型テレビの表からも裏からもカード挿入口部を正面視することは難しい。
【００１４】
図２は、従来のカード挿入構造を適用したカード挿入部２の例を示す拡大図である。
図１に示した薄型テレビ１００に従来のカード挿入構造を適用したカード挿入部２を備えるようにした場合は、図１のカード挿入部２が図２に示したカード挿入部２に相当している部分ということになる。
カード挿入部２は、ｍｉｎｉＢ−ＣＡＳカードのカード挿入口部４及びＳＤカードのカード挿入口部３のある面２ｚと、面２ｚと一辺を共有する面２ｙも備えている。なお、以下で説明する実施の形態１のカード挿入構造を適用可能な機器も、図２と同様に面２ｚと、面２ｚと一辺を共有する面２ｙも備えているものとして説明する。
上述の回路基板の設置構造により、ＳＤカードのカード挿入口部３ａもｍｉｎｉＢ−ＣＡＳカードのカード挿入口部４ａもいずれも縦を向き、カード挿入構造も縦型となる。
【００１５】
図２に示す従来のカード挿入構造を適用した場合は、ｍｉｎｉＢ−ＣＡＳカードの外形寸法がＳＤカードのカード挿入口部３ａにそのまま挿入可能なため、ｍｉｎｉＢ−ＣＡＳカードをＳＤカードのカード挿入口部３ａに誤挿入してしまう可能性が低くないという問題があった。
【００１６】
誤って入れてしまうと、ｍｉｎｉＢ−ＣＡＳカードの長さは２５ｍｍ、ＳＤカードの長さは３２ｍｍで、寸法が小さい方のｍｉｎｉＢ−ＣＡＳカードはＳＤカード挿入口部より中に入り込んでしまうため容易に取り出すことができないため、問題が更に大きくなってしまう。
【００１７】
一方、図３は、本発明にかかる実施の形態１のカード挿入構造を適用したカード挿入部２の概念図である。図１に示した薄型テレビ１００に実施の形態１のカード挿入構造を適用したカード挿入部２を備えるようにした場合は、図１のカード挿入部２が図３に示したカード挿入部２に相当している部分ということになる。
【００１８】
図３においてカード挿入部２の面２ｚにはＳＤカードのカード挿入口部３ｂとｍｉｎｉＢ−ＣＡＳカードのカード挿入口部４ｂとが上下に縦に並んでいる。さらに、図３には２ｚと、面２ｚと一辺を共有する面２ｙが示されている。なお、ＳＤカードのカード挿入口部３ｂとｍｉｎｉＢ−ＣＡＳカードのカード挿入口部４ｂとの間に図２のように他の端子類があってもよい。
【００１９】
各々のカード挿入口部の前面側の面２ｙには、カード挿入口部と直交する方向にカード挿入口部の幅に合わせた間隔で、リブ５ａ、５ｍがそれぞれ設けられている。リブ５ａ、５ｍは、それぞれ図４に示すＳＤカード６、ｍｉｎｉＢ−ＣＡＳカード７の挿入方向と同一軸上に延在している。
【００２０】
図４に、ＳＤカードのカード挿入口部３ｂにＳＤカード６、ｍｉｎｉＢ−ＣＡＳカードのカード挿入口部４ｂにｍｉｎｉＢ−ＣＡＳカード７を挿入する直前の様子を示す。
【００２１】
各々のカードを挿入しようとして、ＳＤカード６をＳＤカードのカード挿入口部３ｂに、又は、ｍｉｎｉＢ−ＣＡＳカード７をｍｉｎｉＢ−ＣＡＳカードのカード挿入口部４ｂに近づけると、各々のカードが２本の平行したリブ５ａ又はリブ５ｍの間に収まっているように見え、自然とリブの間隔とカードの幅を比較することができる。
【００２２】
挿入しようとしているカードがカード挿入口部に適したカードである場合は、カードの上辺と上側リブ５ａ１又は上側リブ５ｍ１、及びカードの下辺と下側リブ５ａ２又は下側リブ５ｍ２が重なる、又は僅かにカードが内に入るような位置関係となり違和感なく素直に挿入することができるが、リブとカードがカード挿入口部に適しておらず本来挿入されるべきカードより挿入されようとしているカードの方が小型のカードであった場合、図４では、ｍｉｎｉＢ−ＣＡＳカード７とリブ５ａの間に不自然な空間ができ、挿入しようとしているカードがカード挿入口部に不適なものであることがわかる。このように、カードをカード挿入口部に挿入する前に不適なカードであることに気付くことができる。なお、リブ５ａ、５ｍは、いずれもカード挿入口部３ｂ、４ｂの開口形状を維持するように設けられ、ＩＣカードが挿入されるのを妨げるような位置には設けられていない。
【００２３】
薄型テレビのような機器では既に述べたようにカード挿入口部を正面視するのが難しくカード挿入口部の大きさを把握し辛い場合に、カード挿入口部を正面視する代わりに、リブ５ａと５ｍのそれぞれの間隔を目視することや、リブ５ａと５ｍを指で触って感じるリブ５ａと５ｍのそれぞれの間隔からカード挿入口部の幅を知ることができる利点がある。
【００２４】
本発明にかかる実施の形態１では、以上のような構成としたことにより、挿入しようとしているカードを、そのカードより寸法の大きなカード挿入口部に誤って入れることを低減できる効果がある。
【００２５】
尚、図５は実施の形態１のカード挿入構造を適用可能な機器の別の一例であるマルチプリンターの外観図である。マルチプリンター１０１は、機器に向かって正面にカード挿入部２があり、カード挿入部２には、各々のカード挿入口部の長手方向が一致するように、ＳＤカードのカード挿入口部３と、それ以外の記憶媒体である、コンパクトフラッシュ（登録商標）、ｍｉｎｉＳＤカード等の各種カードのカード挿入口部群８が、マルチプリンターの同一方向を向いている面に横向きに横に並んで設置されている。
例えば、コンパクトフラッシュ（登録商標）の外形寸法はｔｙｐｅＩで長さ３６．４ｍｍ、カード挿入口部の寸法に対応した幅４２．８ｍｍ、厚さ３．３ｍｍで、先述のＳＤカード寸法より大きく、コンパクトフラッシュのカード挿入口部にＳＤカードは入ってしまう。
【００２６】
ｍｉｎｉＳＤカードの外形寸法は長さ３２．０ｍｍ、カード挿入口部の寸法に対応した幅２０．０ｍｍ、厚さ１．４ｍｍで、ＳＤカードのカード挿入口部３にｍｉｎｉＳＤカードは入ってしまいマルチプリンター１０１でもカードの誤挿入と更には誤って挿入したカードが取り出せない問題が生じる可能性がある。
【００２７】
また図６も実施の形態１のカード挿入構造を適用可能な機器の別の一例であるカーナビゲーションシステムの外観図である。カーナビゲーションシステム１０２も、機器に向かって正面にカード挿入部２があり、カード挿入部２には、ＳＤカードのカード挿入口部３と、ｍｉｎｉＢ−ＣＡＳカードのカード挿入口部４が横向きに横に並んで設置されている。図７は実施の形態１のカード挿入構造を適用可能な機器の更に別の一例であるレコーダーの外観図である。レコーダー１０３でも機器に向かって正面のカード挿入部２には、ＳＤカードのカード挿入口部３と、ｍｉｎｉＢ−ＣＡＳカードのカード挿入口部４が横向きに横に並んで設置されており、カーナビゲーションシステム１０２も、レコーダー１０３もカードの誤挿入と更には誤って挿入したカードが取り出せない問題が生じる可能性がある。
【００２８】
図４では、薄型テレビ等の縦配置について記述したが、図５のようなマルチプリンター、図６のようなカーナビゲーションシステム及び図７のようなレコーダー等で多く使われる横並び、横向きの配置であっても同様の効果が期待できる。
【００２９】
実施の形態２．
既述の図７は、本発明にかかる実施の形態２のカード挿入構造を適用可能な機器の一例を示すレコーダーの外観図である。
【００３０】
図７において、レコーダー１０３の正面下部にカード挿入部２があり、カード挿入部２には、薄型テレビ同様、ｍｉｎｉＢ−ＣＡＳカードのカード挿入口部４と、ＳＤカードのカード挿入口部３とが並んで設置されている。
【００３１】
図８は、本発明にかかる実施の形態２のカード挿入構造を示す概念図である。図７におけるカード挿入部２に相当する。しかしながら適用機器をレコーダーに限定するものではない。
【００３２】
リブ５ｂ、５ｎは、面２ｙから各々カード挿入口部の短手辺に沿ってカード挿入口部の高さまで突出量がある。リブ５ｂ、５ｎのそれぞれにおいて間に挟まれた空間の形状に沿ってカードを挿入するため、挿入カードとカード挿入口部３ｃ、４ｃが一致していないと違和感を覚えるので間違いに気付きやすい。
図３のように縦並び、縦向きの配置でもよく、また図２のようにそれぞれのカード挿入口部との間に他の端子類が配置されていてもよい。
【００３３】
実施の形態３．
図９は、実施の形態３のカード挿入構造を示す概念図である。
【００３４】
図９では、リブ５ｃ、５ｐは、各々のカード挿入口部の長手辺に沿って設けられ、その間隔が、それぞれのカード挿入口部の幅より狭くなっており、かつ、対応するカードの幅を想起させられる間隔は確保されている。リブの高さはカード挿入口部３ｄ、４ｄと同じで、カード挿入口部３ｄ、４ｄの下側とリブ５ｃ、５ｐの上面は同一面を形成する。リブ５ｃ、５ｐの上面は平坦で、カード挿入方向に延び、さらにカード挿入口部３ｄ、４ｄから離れるにつれ高さは低くなり斜面となる。
【００３５】
リブ５ｃ、５ｐはカード挿入口部の下側とリブの上面は同一面であるため、レールを形成する２本のリブ５ｃ、５ｐの上にカードを滑らせて容易にカードをカード挿入口部３ｄ、４ｄに入れることができる。
【００３６】
リブ５ｃ、５ｐの幅はカード挿入口部３ｄ、４ｄより狭いが、リブ５ｃのリブの幅とリブ５ｐのリブの幅は異なるため、カードを挿入する前に適不適を知ることができ、実施の形態１と同様の効果が得られる。
【００３７】
実施の形態４．
図１０は、実施の形態４のカード挿入構造を示す概念図である。
【００３８】
実施の形態４は、前述の実施の形態２、３を併せ持った形状となる。ＳＤカードのカード挿入口部３ｅにはリブ５ｃとリブ５ｂ、ｍｉｎｉＢ−ＣＡＳカードのカード挿入口部４ｅにはリブ５ｎとリブ５ｐがある。この形態では、リブ５ｃまたはリブ５ｐの上を滑らせながらカードを挿入する際、リブ５ｂまたはリブ５ｎにより横方向にぶれることなく挿入できる利点がある。
【００３９】
図１１は、実施の形態４でのｍｉｎｉＢ−ＣＡＳカード７での挿入動作を図示するもので挿入方向の断面を見ている。
【００４０】
ｍｉｎｉＢ−ＣＡＳカード７を、ｍｉｎｉＢ−ＣＡＳカード７の金属端子部をリブ５ｐと対面させる向きで、リブ５ｐの上を滑らせる要領でｍｉｎｉＢ−ＣＡＳカードのカード挿入口部４ａに向ける。ｍｉｎｉＢ−ＣＡＳカードのカード挿入口部４ｅに近づくと、カードの両端はリブ５ｎに阻まれ、図に示すように、上から指を添えるようになる。裏面にある金属端子を触らずに挿入できるので、金属端子部への皮脂の付着による読み取り不良を防ぐ効果がある。
【００４１】
図１２は、実施の形態４でのＳＤカードのカード挿入口部３ｅにｍｉｎｉＢ−ＣＡＳカード７を挿入しようとした場合について図示している。ｍｉｎｉＢ−ＣＡＳカード７の幅がリブ５ｃの間隔より狭いためリブ５ｃに沿わせて挿入しようとしてもリブ５ｃの間に落ち込んでしまうため、挿入できない。よって誤挿入が防げる。
【００４２】
実施の形態３においても同様で、ｍｉｎｉＢ−ＣＡＳカード７はリブ５ｃの間に落ち誤挿入の防止効果がある。
【００４３】
実施の形態５．
図１３は、実施の形態５のカード挿入構造を示す概念図である。
【００４４】
ｍｉｎｉＢ−ＣＡＳカードのカード挿入口部４ｆのリブ５ｑは、薄型テレビ１００では、ｍｉｎｉＢ−ＣＡＳカード７の幅が最も狭いので上述のレール形状のリブ間に更に幅の狭いカードが落ちる効果を期待しなくてもよいので、二枚の板状のリブの間を埋める形にしている。
【００４５】
狭い板状のリブを形成するより製造が容易となる利点がある。
【００４６】
実施の形態６．
図１４は、実施の形態６のカード挿入構造を示す概念図である。
【００４７】
本発明の実施の形態４を縦型に当てはめた場合、カードの挿入動作では作業者の視線はカード挿入口部に対し上方から下に向かうことが多いため、図１０におけるリブ５ｂ、５ｎのようにカード挿入口部の両方にリブがあると上方のリブが作業者の視線を塞ぐこととなるため、カード挿入口部に対し上方となるリブを削除した。
【００４８】
リブ５ｃ、リブ５ｐによる挿入をガイドする働きは損なわれない。カード挿入口部下側のリブ５ｄ、リブ５ｒに当てるように挿入すれば上下の位置もブレないので挿入しやすい。
【００４９】
また、ｍｉｎｉＢ−ＣＡＳカード挿入口部のリブ５ｐの形状は、図１３におけるｍｉｎｉＢ−ＣＡＳカード挿入口部のリブ５ｑと同じく板状のリブの間を埋めた形状でもよい。
【００５０】
同様に、ＳＤカード挿入口部のリブ５ｃの形状は、図１２のように、レール状のリブの間に形状が小さい方のカードが落ち込む効果を期待できないので、図１３におけるｍｉｎｉＢ−ＣＡＳカード挿入口部のリブ５ｑと同じく板状のリブの間を埋めた形状でもよい。
【００５１】
実施の形態７．
図１５は、実施の形態７のカード挿入構造を示す概念図である。
【００５２】
実施の形態７では形態１〜６と異なり、リブはそれぞれのカード挿入口部と同一の面２ｚのみに形成される。カード挿入部２が他の部位より突出した形状となっている場合を想定している。
【００５３】
尚、本発明の実施の形態２〜７では、本発明の実施の形態１と相違する部分について説明し、同一または相当する部分についての説明は省略した。
【符号の説明】
【００５４】
１００  薄型テレビ
１０１  マルチプリンター
１０２  カーナビゲーションシステム
１０３  レコーダー
２  カード挿入部
２ｙ、２ｚ  面
３、３ａ、３ｂ、３ｃ、３ｄ、３ｅ、３ｆ、３ｇ、４、４ａ、４ｂ、４ｃ、４ｄ、４ｅ、４ｆ、４ｇ、４ｈ  カード挿入口部
５ａ、５ｂ、５ｃ、５ｄ、５ｅ、５ｍ、５ｎ、５ｐ、５ｑ、５ｒ、５ｓ  リブ
６  ＳＤカード
７  ｍｉｎｉＢ−ＣＡＳカード
８  挿入口群
【図１】
2018060412.tif 000003
【図２】
2018060412.tif 000004
【図３】
2018060412.tif 000005
【図４】
2018060412.tif 000006
【図５】
2018060412.tif 000007
【図６】
2018060412.tif 000008
【図７】
2018060412.tif 000009
【図８】
2018060412.tif 000010
【図９】
2018060412.tif 000011
【図１０】
2018060412.tif 000012
【図１１】
2018060412.tif 000013
【図１２】
2018060412.tif 000014
【図１３】
2018060412.tif 000015
【図１４】
2018060412.tif 000016
【図１５】
2018060412.tif 000017